(57)【要約】【課題】水槽内の水を浄化する水浄化装置を提供することである。【解決手段】浄化しようとする水が貯水される水槽（１２）と、水槽の底部に配置されたポンプ（１４）と、ポンプの吐出口に接続され、水槽の頂板付近まで垂直方向上方に延びた後、曲がって水平方向に延び、その後、垂直方向下方に延びて先端が開放した通水管（１６）と、通水管に配置された永久磁石（１８）と、通水管に配置されたフィルタ（２０）とを備え、水槽内の水を通水管を通してポンプで圧送して水槽内に流出させる作業を複数回繰り返すことによって、前記永久磁石の磁力及びフィルタにより水を浄化させる。【選択図】  図１
2004337688.tif 000002
【特許請求の範囲】
【請求項１】
水浄化装置であって、
浄化しようとする水が貯水される水槽と、
前記水槽の底部に配置されたポンプと、
前記ポンプの吐出口に接続され、前記水槽の頂板付近まで垂直方向上方に延びた後、曲がって水平方向に延び、その後、垂直方向下方に延びて先端が開放した通水管と、
前記通水管に配置された永久磁石と、
前記通水管に配置されたフィルタとを備え、
前記水槽内の水を前記通水管を通して前記ポンプで圧送して前記水槽内に流出させる作業を複数回繰り返すことによって、前記永久磁石の磁力及びフィルタにより水を浄化させることを特徴とする装置。
【請求項２】
水浄化装置であって、
浄化しようとする水が貯水される水槽と、
前記水槽内の水面上に配置されたポンプと、
前記ポンプの吸引口及び吐出口と水面下とを連通させる通水管と、
前記通水管に配置された永久磁石と、
前記通水管に配置されたフィルタとを備え、
前記水槽内の水を前記通水管を通して前記ポンプで圧送して前記水槽内に流出させる作業を複数回繰り返すことによって、前記永久磁石の磁力及びフィルタにより水を浄化させることを特徴とする装置。
【請求項３】
水浄化装置であって、
浄化しようとする水が貯水される水槽と、
前記水槽の外部に配置されたポンプと、
前記ポンプの吐出口及び吸入口と前記水槽内とを連通させる通水管と、
前記通水管に配置された永久磁石と、
前記通水管に配置されたフィルタとを備え、
前記水槽内の水を前記通水管を通して前記ポンプで圧送して前記水槽内に流出させる作業を複数回繰り返すことによって、前記永久磁石の磁力及びフィルタにより水を浄化させることを特徴とする装置。
【請求項４】
水浄化装置であって、
ポンプと、
前記ポンプの吐出口及び吸入口から水中に延びた通水管と、
前記通水管に配置された永久磁石と、
前記通水管に配置されたフィルタと、
前記ポンプ、前記通水管の一部、前記永久磁石、及び前記フィルタを水面上に浮上させるための浮力体とを備え、
前記水槽内の水を前記通水管を通して前記ポンプで圧送して前記水槽内に流出させる作業を繰り返すことによって、前記永久磁石の磁力及びフィルタにより水を浄化させることを特徴とする装置。
【発明の詳細な説明】
【０００１】
【発明の属する技術分野】
本発明は一般的に、水浄化装置に関する。より詳細には、本発明は、水槽内の水を磁石による磁力を利用して浄化する水浄化装置に関する。
【０００２】
【従来の技術】
従来、マンションやビルディング等の給水設備としては、受水槽に貯水した水を、最上階や屋上に設置した高置水槽まで圧送し、高低差を利用して各戸に給水するように構成されているものが大半であった。
【０００３】
【発明が解決しようとする課題】
しかしながら、近年、高置水槽内の水の水質が問題視されており、新築される建築物は、高置水槽方式を採用せず、受水槽から各戸に給水したり、給水管から直接各戸に給水する方式が採用されてきている。しかし、既設の建築物では、コスト等の観点から、高置水槽を使用せざるを得ない場合が大半であるため、高置水槽方式を採用している建築物において、如何にして良質な水を供給するかは、重要な課題となっている。また、一般の水槽やプール等でも同様の問題が生じ得る。
【０００４】
したがって、本発明は、水槽内の水を浄化する水浄化装置を提供することを目的としている。
【０００５】
【課題を解決するための手段】
本願請求項１に記載の水浄化装置は、浄化しようとする水が貯水される水槽と、前記水槽の底部に配置されたポンプと、前記ポンプの吐出口に接続され、前記水槽の頂板付近まで垂直方向上方に延びた後、曲がって水平方向に延び、その後、垂直方向下方に延びて先端が開放した通水管と、前記通水管に配置された永久磁石と、前記通水管に配置されたフィルタとを備え、前記水槽内の水を前記通水管を通して前記ポンプで圧送して前記水槽内に流出させる作業を複数回繰り返すことによって、前記永久磁石の磁力及びフィルタにより水を浄化させることを特徴とするものである。
【０００６】
本願請求項２に記載の水浄化装置は、浄化しようとする水が貯水される水槽と、前記水槽内の水面上に配置されたポンプと、前記ポンプの吸引口及び吐出口と水面下とを連通させる通水管と、前記通水管に配置された永久磁石と、前記通水管に配置されたフィルタとを備え、前記水槽内の水を前記通水管を通して前記ポンプで圧送して前記水槽内に流出させる作業を複数回繰り返すことによって、前記永久磁石の磁力及びフィルタにより水を浄化させることを特徴とするものである。
【０００７】
本願請求項３に記載の水浄化装置は、浄化しようとする水が貯水される水槽と、前記水槽の外部に配置されたポンプと、前記ポンプの吐出口及び吸入口と前記水槽内とを連通させる通水管と、前記通水管に配置された永久磁石と、前記通水管に配置されたフィルタとを備え、前記水槽内の水を前記通水管を通して前記ポンプで圧送して前記水槽内に流出させる作業を複数回繰り返すことによって、前記永久磁石の磁力及びフィルタにより水を浄化させることを特徴とするものである。
【０００８】
本願請求項４に記載の水浄化装置は、ポンプと、前記ポンプの吐出口及び吸入口から水中に延びた通水管と、前記通水管に配置された永久磁石と、前記通水管に配置されたフィルタと、前記ポンプ、前記通水管の一部、前記永久磁石、及び前記フィルタを水面上に浮上させるための浮力体とを備え、前記水槽内の水を前記通水管を通して前記ポンプで圧送して前記水槽内に流出させる作業を繰り返すことによって、前記永久磁石の磁力及びフィルタにより水を浄化させることを特徴とするものである。
【０００９】
【発明の実施の形態】
次に図面を参照して、本発明の好ましい実施の形態に係る水浄化装置について詳細に説明する。図１において全体として参照符号１０で示される本発明の第１の実施の形態に係る水浄化装置は、高置水槽１２内の底部に配置されたポンプ１４を備えている。
【００１０】
水浄化装置１０は又、ポンプ１４の吐出口１４ａに接続された通水管１６を備えている。通水管１６は、図１に示されるように、ポンプ１４の吐出口１４ａから垂直方向上方に延びた第１部分１６ａと、高置水槽１２の頂板１２ａの直下のところで曲がって水平方向に延びた第２部分１６ｂと、第２部分１６ｂの先端から垂直方向下方に延びた第３部分１６ｃとを備えており、第３部分１６ｃの先端は、水平方向に曲がって開放し、流出口１６ｄとなっている。
【００１１】
水浄化装置１０は更に、通水管１６に配置された永久磁石１８と、通水管１６に配置されたフィルタ２０とを備えている。永久磁石１８およびフィルタ２０は、通常のものを使用してよいが、フィルタ２０は脱着式のものを使用するのが好ましい。なお、図１において、２２は高置水槽１２内に水を流入させる流入口、２４は高置水槽１２から水を流出させる流出口、２６は通水管１６を支持するための天井ストッパ、２８は高置水槽１２の開口部をそれぞれ示している。
【００１２】
次に、以上のように構成された水浄化装置１０の使用について説明する。まず、流出口２４のバルブ２４ａを閉鎖した状態で、通水管１６の流出口１６ｄが水面下に位置するまで、流入口２２から高置水槽１２内に水を流入させて貯水する。次いで、ポンプ１４を作動させる。すると、ポンプ１４の吸入口１４ｂから吸い込まれた高置水槽１２内の水は、吐出口１４ａから吐出され、通水管１６内を圧送されるが、第２部分１６ｂに配置されている永久磁石１８の部分を通過する際、ファラデーの電磁誘導とローレンツ力の相互作用により、水が活性化される。すなわち、永久磁石１８によって形成される磁界内を水流が横切ると、水流内の水分子において自由イオンの分極を生じ、水の活性状態が作り出されるとともに、磁界内を通る荷電粒子にローレンツ力が作用し、水の活性化が促進される。
【００１３】
永久磁石１８の磁界によって活性化された水は、フィルタ２０を通過することにより、ゴミや塵が除去され、通水管１６の流出口１６ｄから、高置水槽１２内に流出される。そして、高置水槽１２内に流出された水は、再びポンプ１４によって吸い込まれ、通水管１６内を圧送されて、永久磁石１８の磁界によって活性化され、更にフィルタ２０によってゴミや塵が除去される。このような循環を複数回繰り返すことにより、高置水槽１２内の水の水質が向上する。
【００１４】
図２は、第１の実施の形態に係る水浄化装置１０の変形形態を示した図である。図２に示される水浄化装置１０は、ポンプ１４が水槽１２内の水面上に配置されている点を除いて、図１に示される水浄化装置１０と実質的に同一の構成を有している。
【００１５】
図３は、本発明の第２の実施の形態に係る水浄化装置を示した図である。図３において全体として参照符号３０で示される本発明の第３の実施の形態に係る水浄化装置は、ポンプ、通水管、永久磁石、フィルタが水槽の外部に配置されている点を除いて、第１の実施の形態に係る水浄化装置１０と実質的に同一の構成を有している。
【００１６】
すなわち、水浄化装置３０は、水槽３２と、水槽３２の外部に配置されたポンプ３４と、ポンプ３４の吐出口３４ａ及び吸入口３４ｂと水槽３２内とを連通させる通水管３６と、通水管３６に配置された永久磁石３８と、通水管３６に配置されたフィルタ４０とを備えている。
【００１７】
なお、図３において、４２は水槽３２内に水を流入させる流入口、４４は水槽３２から水を流出させる流出口、４６は水槽３２の水位が所定の高さ以上になった場合に水位を一定に保持するため水槽３２から水を流出させるオーバーフロー管をそれぞれ示している。また、通水管３６の水槽３２内への流入口は、水槽３２内での水の循環を容易にするため、水槽壁に対して傾斜している（図３（ａ）において角度αで表示）のが望ましい。
【００１８】
図４は、本発明の第３の実施の形態に係る水浄化装置を示した図である。図４において全体として参照符号５０で示される本発明の第３の実施の形態に係る水浄化装置は、固定式である水浄化装置１０、３０とは異なり、浮遊式のものである。
【００１９】
すなわち、水浄化装置５０は、ポンプ５４と、ポンプ５４の吐出口５４ａ及び吸入口５４ｂから水中に延びた通水管５６と、通水管５６に配置された永久磁石５８と、通水管５６に配置されたフィルタ６０と、水浄化装置５０を水面上に浮上させるための浮力体６２とを備えている。また、図４において、５２は水槽、６４は水浄化装置５０を安定させるための錘をそれぞれ示している。なお、錘６４の代わりに、水槽５２内の所定個所に繋ぎ留める係留索（図示せず）を用いてもよい。
【００２０】
水浄化装置３０、５０の使用は、上述の水浄化装置１０の使用と実質的に同一である。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
例えば、前記実施の形態において、高置水槽１２内の水位を一定に維持する水位維持装置を取付けてもよい。水位維持装置としては、例えば、水面にフロート３０を配置し、フロート３０の高さが一定以上に上昇すると流入口２２のバルブ２２ａを閉鎖し、フロート３０の高さが一定以上に下降すると流入口２２のバルブ２２ａを開放するように構成された装置があげられる。
【００２３】
また、前記実施の形態では、高置水槽１２内の水の浄化を目的としているが、高置水槽１２以外の地上置きの水槽にも本発明を適用することができる。
【００２４】
【発明の効果】
本発明により、水槽内の水の浄化を比較的簡単な装置で廉価に実施することができ、衛生的かつ美味な飲料水を消費者に提供することができるとともに、赤水がとれ、水道管の寿命が延びてメンテナンス費用を低減することができるという効果を得ることもできる。また、特に浮遊式の装置は、プール等での水質浄化に効果的に使用することができる。
【図面の簡単な説明】
【図１】本発明の第１の実施の形態に係る水浄化装置を概略的に示した断面図である。
【図２】図１の水浄化装置の変形形態を概略的に示した断面図である。
【図３】本発明の第２の実施の形態に係る水浄化装置を概略的に示した図である。
【図４】本発明の第３の実施の形態に係る水浄化装置を概略的に示した断面図である。
【符号の説明】
１０、３０、５０  水浄化装置
１２、３２、５２  高置水槽
１４、３４、５４  ポンプ
１６、３６、５６  通水管
１８、３８、５８  永久磁石
２０、４０、６０  フィルタ
２２、４２  流入口
２４、４４  流出口
２６  天井ストッパ
２８  開口部
３０  フロート
【図１】
2004337688.tif 000003
【図２】
2004337688.tif 000004
【図３】
2004337688.tif 000005
【図４】
2004337688.tif 000006